(57)【特許請求の範囲】
【請求項１】
保形性が極めて小さい薄肉の本体部分を備えた詰め替え容器であって、
前記詰め替え容器は、収納容器の内側に装填される本体部分と、この本体部分に一体成形され詰め替え容器内の内容物を排出する注出口からなり、この注出口がバージンキャップによって密封されると共に、当該注出口のネック部分に、収納容器に対する詰め替え容器の位置決めを行う位置決め部材を有し、この位置決め部材は、バージンキャップのキャップバンドと一体に形成されたものであることを特徴とする詰め替え容器。
【請求項２】
保形性が極めて小さい薄肉の本体部分を備えた詰め替え容器であって、
前記詰め替え容器は、収納容器の内側に装填される本体部分と、この本体部分に一体成形され詰め替え容器内の内容物を排出する注出口からなり、この注出口のネック部分に、収納容器に対する詰め替え容器の位置決めを行う位置決め部材を有し、この位置決め部材は、前記ネック部分にて着脱自在なスナップ式であることを特徴とする詰め替え容器。
【請求項３】
請求項１又は請求項２に記載の詰め替え容器そのものを装填する収納容器であって、
前記収納容器は、収納開口を通して詰め替え容器を装填する内部空間と、この内部空間を前記収納開口よりも内側に位置させると共に当該内部空間に装填した詰め替え容器の前記位置決め部材が接触する内側段差と、この内側段差に接触した状態の前記詰め替え容器における前記注出口に接触すると共に収納開口を閉塞して当該収納開口において前記位置決め部材を安定的に係止することでその内部空間に前記詰め替え容器を固定保持するキャップからなることを特徴とする、詰め替え容器を装填する収納容器。
【請求項４】
前記キャップは、収納容器内に装填された詰め替え容器の注出口に直接挿入されそこから内容物を吸入、排出するポンプを備えるものである請求項３に記載の収納容器。
【発明の詳細な説明】
【０００１】
【発明の属する技術分野】
本発明は、保形性が極めて小さい薄肉の本体部分を備えた詰め替え容器およびその詰め替え容器を装填する収納容器に関するものである。
【０００２】
【従来の技術】
保形性が極めて小さい薄肉の本体部分を備えた容器は既知であり、例えば、台所用洗剤や衣料用洗剤などの詰め替え容器として利用されている。
【０００３】
こうした詰め替え容器は、薄肉の本体部分に充填された内容物を、例えば、予め内容物が充填された状態で出荷された既成の容器に移し替える作業が必要である。この作業は、詰め替え容器の内容物をその注出口から既成の容器の注出口に流し込むものである。
【０００４】
【発明が解決しようとする課題】
しかしながら、薄肉の詰め替え容器から既成の容器への詰め替え作業は、詰め替え容器の保形性が極めて小さく、その姿勢が安定しないため、詰め替え中に液ダレしないように注意する必要があり、その作業は煩雑なものとなる。
【０００５】
本発明は、上述した問題点を解消するためになされたものであって、保形性が極めて小さい薄肉容器から既成の容器へ内容物を詰め替えるために生じる煩雑な詰め替え作業を解消することを目的とする。
【０００６】
【課題を解決するための手段】
この課題を解決するため、本発明である、詰め替え容器は、保形性が極めて小さい薄肉の本体部分を備えた詰め替え容器である。本発明において、詰め替え容器は、収納容器の内側に装填される本体部分と、この本体部分に一体成形され詰め替え容器内の内容物を排出する注出口からなり、該注出口のネック部分に、収納容器に対する詰め替え容器の位置決めを行う位置決め部材を有するものである。
【０００７】
この場合、詰め替え容器が位置決め部材によってそのまま収納容器に装填できるから、保形性が極めて小さい薄肉容器から既成の容器へ内容物を詰め替えるために生じる煩雑な詰め替え作業が解消される。従って本発明は、詰め替え容器から内容物を取り出すことなく効率良く移し替えることができる。加えて、詰め替え容器は、そのネック部分に位置決め部材を有することから、詰め替え容器の径寸法を変えること無く、最も好適な位置にレイアウトできる。
【０００８】
特に、第１発明は、詰め替え容器の注出口が、バージンキャップによって密封されるものであり、位置決め部材は、バージンキャップのキャップバンドと一体に形成されたものである。この場合、位置決め部材をキャップバンドと一体に形成したことから、部品点数を増加させること無く、詰め替え容器のネック部分にレイアウトできる。
【０００９】
また、第２発明は、位置決め部材が、詰め替え容器のネック部分にて着脱自在なスナップ式である。この場合、位置決め部材が詰め替え容器に対して着脱自在であるから、再利用が可能で、且つ、既成の詰め替え容器に採用することができる。
【００１０】
また、本発明は、上述した詰め替え容器そのものを装填する収納容器であって、収納容器が、収納開口を通して詰め替え容器を装填する内部空間と、この内部空間を収納開口よりも内側に位置させると共に当該内部空間に装填した詰め替え容器の位置決め部材が接触する内側段差と、この内側段差に接触した状態の詰め替え容器におけるその注出口に接触すると共に収納開口を閉塞して当該収納開口において位置決め部材を安定的に係止することでその内部空間に詰め替え容器を固定保持するキャップからなる。
【００１１】
この場合、収納容器がその内側段差およびキャップによって詰め替え容器をそのまま装填できるから、保形性が極めて小さい薄肉容器から既成の容器へ内容物を詰め替えるために生じる煩雑な詰め替え作業を解消することができる。従って本発明は、詰め替え容器から内容物を取り出すことなく効率良く移し替えることができる。
【００１２】
また、本発明である収納容器に係るキャップは、収納容器内に装填された詰め替え容器の注出口に直接挿入されそこから内容物を吸入、排出するポンプを備えるものであることが好ましい。この場合、詰め替え容器を装填した収納容器を移動させること無く、内容物を容易に取り出すことができる。
【００１３】
【発明の実施の形態】
以下、本発明の実施の形態を、添付図面に基づき具体的に説明する。
【００１４】
図１（ａ），（ｂ）および図２は、本発明に係る、詰め替え容器とその詰め替え容器を装填する収納容器の第１の実施形態であって、図１（ａ）は詰め替え容器の注出口を密封するバージンキャップを示す一部断面図、図１（ｂ）は詰め替え容器からバージンキャップを取り外した状態を示す一部断面図であり、図２は詰め替え容器を収納容器に装填した状態を示す一部断面図である。
【００１５】
詰め替え容器１０は、図１（ｂ）に示す如く、保形性が極めて小さい薄肉の本体部分１１と、この本体部分１１に一体成形され詰め替え容器１０内の内容物を排出する注出口１２からなる。注出口１２は、バージンキャップ２０によって密封されるものである。
【００１６】
バージンキャップ２０は、詰め替え容器１０が未開封であることを消費者に表示することにより、品質の高い製品を消費者に提供するためのものであって、図１（ａ）に示す如く、注出口１２を閉塞するキャップ本体２１と、注出口１２のネック部分１３に取り付けられたキャップバンド２２とからなり、キャップ本体２１およびキャップバンド２２間は複数のリブ２３によって切り離し可能に連結されている。本実施形態において、キャップバンド２２は、後述の収納容器３０に対する詰め替え容器１０の位置決めを行う位置決め部材４０を一体に形成したものである。位置決め部材４０は、収納容器３０における、後述する収納開口３１の断面形状に対応した形状であって、本実施形態における位置決め部材４０はディスク形状である。
【００１７】
本実施形態によれば、詰め替え容器１０が位置決め部材４０によってそのまま収納容器３０に装填できるから、保形性が極めて小さい薄肉容器１０から既成の容器へ内容物を詰め替えるために生じる煩雑な詰め替え作業が解消される。従って本実施形態は、詰め替え容器１０から内容物を取り出すことなく剛性の高い収納容器３０に効率良く移し替えることができる。加えて、詰め替え容器１０は、そのネック部分１３に位置決め部材４０を有することから、詰め替え容器１０の径寸法を変えること無く、最も好適な位置にレイアウトできる。
【００１８】
特に本実施形態によれば、詰め替え容器１０の注出口１２は、バージンキャップ２０によって密封されるものであり、位置決め部材４０は、バージンキャップ２０のキャップバンド２２と一体に形成されたものである。この場合、位置決め部材４０をキャップバンド２２と一体に形成したことから、部品点数を増加させること無く、詰め替え容器１０のネック部分１３にレイアウトできる。
【００１９】
収納容器３０は、図２に示す如く、詰め替え容器１０そのものを装填する容器であり、収納開口３１を通して詰め替え容器１０を装填する内部空間３２と、この内部空間３２に装填した詰め替え容器１０をその収納開口３１において安定的に係止する内側段差３３と、この内側段差３３による詰め替え容器１０の係止状態にて収納容器３０の収納開口３１を閉塞して詰め替え容器１０をその内部空間３２に固定保持するキャップ３４からなる。
【００２０】
具体的には、位置決め部材４０が内側段差３３に接触すると共に、キャップ３４が詰め替え容器１０の注出口１２に接触することにより、位置決め部材４０が収納開口３１において安定的に係止されることで、詰め替え容器１０は内部空間３２に固定保持される。
【００２１】
なお、収納容器３０は、他の実施形態として、キャップ３４の組み付け時において、内側段差３３およびキャップ３４間で位置決め部材４０を直接的に保持することによって固定保持することもできる。
【００２２】
本実施形態によれば、収納容器３０がその内側段差３３およびキャップ３４によって詰め替え容器１０をそのまま装填できるから、保形性が極めて小さい薄肉容器１０から既成の容器へ内容物を詰め替えるために生じる煩雑な詰め替え作業を解消することができる。従って本実施形態は、詰め替え容器１０から内容物を取り出すことなく効率良く移し替えることができる。
【００２３】
またキャップ３４は、本実施形態の如く、収納容器３０内に装填された詰め替え容器１０の注出口１２に直接挿入されそこから内容物を吸入、排出するプッシュ式ポンプ３５を備える。この場合、詰め替え容器１０を装填した収納容器３０を移動させること無く、詰め替え容器１０からの内容物を容易に取り出すことができる。
【００２４】
図３（ａ），（ｂ）および図４，図５は、本発明に係る、詰め替え容器とその詰め替え容器を装填する収納容器の第２の実施形態である。なお、第１実施形態と同一部分は同一符号をもってその具体的な説明を省略する。
【００２５】
図３（ａ）は詰め替え容器の注出口を密封するバージンキャップを示す一部断面図、図３（ｂ）は詰め替え容器からバージンキャップを取り外した状態を示す一部断面図、図４は他の位置決め部材を示す斜視図である。また、図５は詰め替え容器を収納容器に装填した状態を示す一部断面図である。
【００２６】
詰め替え容器１０は、図３（ｂ）に示す如く、第１実施形態と同様に、保形性が極めて小さい薄肉の本体部分１１と、この本体部分１１に一体成形され詰め替え容器１０内の内容物を排出する注出口１２からなる。注出口１２は、注出口１２に設けられたバージンキャップ２５によって密封されるものである。バージンキャップ２５は、図３（ａ）に示す如く、注出口１２を閉塞するキャップ本体２６と、注出口１２のネック部分１３に取り付けられたキャップバンド２７とからなり、キャップ本体２６およびキャップバンド２７間は複数のリブ２８によって切り離し可能に連結されている。なお、本実施形態に使用されるキャップについては、バージンキャップに限ることなく、バージン機構を有さない通常のネジキャップ等も適宜選択可能である。
【００２７】
本実施形態において、位置決め部材５０は、図４に示す如く、詰め替え容器１０のネック部分１３にて着脱自在なスナップ式になるものであり、収納容器３０における、収納開口３１の断面形状に対応したディスク形状である。
【００２８】
位置決め部材５０に設けたスナップ構造５２は、ディスク本体５１の中心付近にネック部分１３を嵌合させるための穴５３を有し、この嵌合穴５３に切欠き５４を形成したものである。位置決め部材５０は、スナップ構造５１によって、詰め替え容器１０のネック部分１３に着脱自在に取り付けることができる。
【００２９】
収納容器３０は、図５に示す如く、第１実施形態と同様に、詰め替え容器１０そのものを装填する容器であり、位置決め部材５０が内側段差３３に接触すると共に、キャップ３４が詰め替え容器１０の注出口３１に接触することにより、位置決め部材５０が収納開口３１において安定的に係止されることで、詰め替え容器１０は内部空間３２に固定保持される。
【００３０】
なお、収納容器３０は、第１実施形態と同様に、キャップ３４の組み付け時において、内側段差３３およびキャップ３４間で位置決め部材４０を直接的に保持することによって固定保持してもよい。またキャップ３４も、第１の実施形態と同様に、収納容器３０内に装填された詰め替え容器１０の注出口１２に直接挿入されそこから内容物を吸入、排出するプッシュ式ポンプ３５を備えることが好ましい。
【００３１】
特に本実施形態によれば、位置決め部材５０は、詰め替え容器１０のネック部分１３にて着脱自在なスナップ式になるものである。この場合、位置決め部材５０が詰め替え容器１０に対して着脱自在であるから、再利用が可能で、且つ、既成の詰め替え容器で位置決め部材５０を取り付けられるネック部分１３を有する形態の容器であれば、ブローボトル・パウチ等の各種形態の詰め替え容器に採用することができる。
【００３２】
【発明の効果】
本発明である、詰め替え容器は、保形性が極めて小さい薄肉の本体部分を備えた詰め替え容器である。本発明において、詰め替え容器は、収納容器の内側に装填される本体部分と、この本体部分に一体成形され詰め替え容器内の内容物を排出する注出口からなり、該注出口のネック部分に、収納容器に対する詰め替え容器の位置決めを行う位置決め部材を有するものである。
【００３３】
この場合、詰め替え容器が位置決め部材によってそのまま収納容器に装填できるから、保形性が極めて小さい薄肉容器から既成の容器へ内容物を詰め替えるために生じる煩雑な詰め替え作業が解消される。従って本発明は、詰め替え容器から内容物を取り出すことなく効率良く移し替えることができる。加えて、詰め替え容器は、そのネック部分に位置決め部材を有することから、詰め替え容器の径寸法を変えること無く、最も好適な位置にレイアウトできる。
【００３４】
特に、第１発明は、詰め替え容器の注出口が、バージンキャップによって密封されるものであり、位置決め部材は、バージンキャップのキャップバンドと一体に形成されたものである。この場合、位置決め部材をキャップバンドと一体に形成したことから、部品点数を増加させること無く、詰め替え容器のネック部分にレイアウトできる。
【００３５】
また、第２発明は、位置決め部材が、詰め替え容器のネック部分にて着脱自在なスナップ式である。この場合、位置決め部材が詰め替え容器に対して着脱自在であるから、再利用が可能で、且つ、既成の詰め替え容器に採用することができる。
【００３６】
また、本発明は、上述した詰め替え容器そのものを装填する収納容器であって、収納容器が、収納開口を通して詰め替え容器を装填する内部空間と、この内部空間を収納開口よりも内側に位置させると共に当該内部空間に装填した詰め替え容器の位置決め部材が接触する内側段差と、この内側段差に接触した状態の詰め替え容器におけるその注出口に接触すると共に収納開口を閉塞して当該収納開口において位置決め部材を安定的に係止することでその内部空間に詰め替え容器を固定保持するキャップからなる。
【００３７】
この場合、収納容器がその内側段差およびキャップによって詰め替え容器をそのまま装填できるから、保形性が極めて小さい薄肉容器から既成の容器へ内容物を詰め替えるために生じる煩雑な詰め替え作業を解消することができる。従って本発明は、詰め替え容器から内容物を取り出すことなく効率良く移し替えることができる。
【００３８】
また、本発明である収納容器に係るキャップは、収納容器内に装填された詰め替え容器の注出口に直接挿入されそこから内容物を吸入、排出するポンプを備えるものであることが好ましい。この場合、詰め替え容器を装填した収納容器を移動させること無く、内容物を容易に取り出すことができる。
【図面の簡単な説明】
【図１】  （ａ）は、本発明に係る、詰め替え容器の第１の実施形態であって、詰め替え容器の注出口を密封するバージンキャップを示す一部断面図、（ｂ）は、詰め替え容器からバージンキャップを取り外した状態を示す一部断面図である。
【図２】  第１実施形態の詰め替え容器を収納容器に装填した状態を示す一部断面図である。
【図３】  （ａ）は、詰め替え容器の注出口を密封するバージンキャップを示す一部断面図、（ｂ）は、詰め替え容器からバージンキャップを取り外した状態を示す一部断面図である。
【図４】  本発明に係る、詰め替え容器の第２の実施形態を示す斜視図である。
【図５】  第２実施形態の詰め替え容器を収納容器に装填した状態を示す一部断面図である。
【符号の説明】
１０  詰め替え容器
１１  本体部分
１２  注出口
１３  ネック部分
２０  バージンキャップ
２１  キャップ本体
２２  キャップバンド（位置決め部材）
２３  リブ
２５  バージンキャップ
２６  キャップ本体
２７  キャップバンド
２８  リブ
３０  収納容器
３１  収納開口
３２  収納空間
３３  内側段差
３４  キャップ
３５  ポンプ
４０  位置決め部材（キャップバンド）
５０  位置決め部材
５１  ディスク本体
５２  スナップ構造
５３  嵌合穴
５４  切欠き
【図１】
0004046939.tif 000002
【図２】
0004046939.tif 000003
【図３】
0004046939.tif 000004
【図４】
0004046939.tif 000005
【図５】
0004046939.tif 000006